(57)【要約】      （修正有）【課題】様式トイレにおいて、トイレの周りを汚し、悪臭の原因を取り除く事が出来る男性専用尿器付きトイレ便座を提供する。【解決手段】トイレ便器本体１に便座本体２と上下開閉自在便座蓋面３に排尿が出来る、男性用専用尿器４を設け、排尿され尿が尿器入口５から尿器出口６の先端に設けられた、配管７の中を流れ、便座本体後部に開けられた、配管穴８を通った配管７からトイレ便槽内９に、汚物として排泄されて、尿が排水口１３へ流され、水洗トイレロ一タンク内の水によって、汚水処理場に流れる様にした、男性が便座蓋に取り付けた尿器に、直接、排尿が出来ることを特徴とする。【選択図】図１
0003187411.tif 000002
【実用新案登録請求の範囲】
【請求項１】
トイレ便器本体（１）に便座本体（２）と上下開閉自在便座蓋面（３）に排尿が出来る。男性専用トイレ尿器（４）を設け、尿器入口（５）から尿器出口（６）の先端に設けられた配管（７）の中を流れ、便座本体後部に開けられた。配管穴（８）からトイレ便槽内（９）に、汚物として排泄された。尿が排水口（１３）へ流され、水洗トイレロータンク内の水によって、汚水処理場に流れるようにした。男性が便座蓋に取り付けた尿器に、直接、排尿が出来る男性専用尿器付きトイレ便座である。
【考案の詳細な説明】
【技術分野】
【０００１】本考案は、洋式トイレの便座蓋面に、男性専用尿器を設けた。
便器に関するものである。
【背景技術】
【０００２】男性が、洋式トイレで排尿を行う時に、便器内に向かって、そのまま、起立して、排尿をする事が、多く、便器の周辺を汚す事が良くある。
【考案の開示】
【考案が解決しようとする課題】
【０００３】起立の姿勢での排尿は便器の周りを汚し、座って排尿をするように、家族などに注意をされるが、面倒臭くて座っては出来ない、また周りを汚す事も多く、悪臭の原因でもあった。従って便座のふたの機能と尿器の機能とを一体化することより、直接尿器口に向け排尿をする事で便器の周りや悪臭の原因を取り除く事が出来る。  前述の欠点を解決しようとするものである。
【課題を解決するための手段】
【０００４】本考案は、一体化された便座蓋と尿器は便座本体の片面に便座蓋がピンで枢着し便座蓋が上下開閉自在に動き、便座蓋を男性の下半身の高さに上下に軽く持ち上げ、尿器入口（５）に向かって直接、排尿された尿は、尿器内を流れて尿器出口（６）から配管内（７）を流れ、トイレ本体便槽内（９）に溜まり、ロータンク内の水流によって排水口から下水管を流れ、汚水処理場で処理されるようにした。
【考案の効果】
【０００５】上述の様に、本考案の男性専用トイレ便座は、便座蓋面に男性尿器を設け一体化した事より、便座に座る事なく、起立したまま、排尿が出来、トイレの周りを汚すことなくトイレが綺麗に使用する事が出来る
【考案の実施するための形態】
【０００６】本考案は、楕円形を有した。プラチック、塩化ビニールなどの素材で作成され、洋式トイレの便座、便座蓋面（３）に男性用尿器（４）を取り付け、便座蓋（３）を持ちあげる事で、便座本体の片面に便座蓋取り付けピン（１０）を支点に回転し、便座蓋が上下自在開閉する。便座蓋と尿器は一体化された。便器蓋を手で軽く持ちあげ、尿器入（５）を下半身の高さの位置に合わせ、排泄された尿は、尿器出口（６）へ流れ、尿器出口の先端の配管（７）内を流れて、便座本体後部に開けられた。配管穴（８）の中や便座本体の下に配管（７）を通し、トイレ本体便槽（９）内に尿が溜まり、尿や汚物を、水洗トイレ、ロータンク内の水で流すと、同時に便器蓋の男性用尿器の洗浄管取り付けツメ（１１）の洗浄パイプ（１２）から流れてきた。水によって、男性専用尿器内が洗浄される仕組みにもなっている。
【実施行例】
【０００７】便座蓋（３）に付いた尿器入口（５）を下腹部の高さに、軽く持ち上げ尿器入口（５）に向けて、排尿し排泄された。尿は尿器出口（６）から便座本体（２）開けられた、配管穴（８）を通った、配管（７）からトイレ便槽内に流れて溜まり、ロータンク内の水流により、排水口から下水に流される。
【０００８】（変更例）
本考案は実施例の構成に限定されず、以下のようにも変更が可能である。実施例では便座蓋面に尿器が一体化されていたが。男性専用トイレ便座の尿器だけが、分離が出来、便座蓋と尿器の接合手段は、磁石やマジック、テープなどで、着脱自在に接合するようにし、尿器の劣化や清掃時に取り外しが出来るようにした。
【図面の簡単な説明】
【０００９】
【図１】  男性専用尿器付きトイレ便座  断面図
【図２】  便座蓋を開けた状態  外観斜視図
【図３】  便座蓋を閉めた状態  外観斜視図
【図４】  尿器と便座本体  立体図
【図５】  便座本体に便座蓋を開けた状態  外観斜視図
【図６】  便座蓋から尿器だけが取り外しが出来る  断面図
【符号の説明】
【００１０】（１）  トイレ本体
（２）  便座本体
（３）  便座蓋
（４）  男子専用尿器
（５）  尿器入口
（６）  尿器出口
（７）  配管
（８）  配管穴
（９）  トイレ本体便槽
（１０）便座取付けピン
（１１）洗浄管取り付けツメ
（１２）洗浄パイプ
（１３）排水口
（１４）尿器と便座蓋を連結マジック、テープ、磁石
【図１】
0003187411.tif 000003
【図２】
0003187411.tif 000004
【図３】
0003187411.tif 000005
【図４】
0003187411.tif 000006
【図５】
0003187411.tif 000007
【図６】
0003187411.tif 000008
【手続補正書】
【提出日】平成25年9月12日(2013.9.12)
【手続補正１】
【補正対象書類名】実用新案登録請求の範囲
【補正対象項目名】全文
【補正方法】変更
【補正の内容】
【実用新案登録請求の範囲】
【請求項１】
トイレ便器本体（１）に便座本体（２）と上下開閉自在便座蓋面（３）に排尿が出来る、男性用専用尿器（４）を設け、排尿され尿が尿器入口（５）から尿器出口（６）の先端に設けられた、配管（７）の中を流れ、便座本体後部に開けられた、配管穴（８）を通った配管（７）からトイレ便槽内（９）に、汚物として排泄されて、尿が排水口（１３）へ流され、水洗トイレロ一タンク内の水によって、汚水処理場に流れる様にした、男性が便座蓋に取り付けた尿器に、直接、排尿が出来る男性専用尿器付きトイレ便座。
【手続補正２】
【補正対象書類名】明細書
【補正対象項目名】０００８
【補正方法】変更
【補正の内容】
【０００８】本考案は実施例の構成に限定されず、以下のようにも変更が可能である、実施例では、便座蓋面に尿器が一体化されていたが。男性専用トイレ便座の尿器だけが分離ができ便座蓋と尿器の接合手段は、磁石や面ファスナ一などで着脱自在に接合するようにし、尿器の劣化や清掃時に取り外しが出来るようにした。
【手続補正３】
【補正対象書類名】明細書
【補正対象項目名】００１０
【補正方法】変更
【補正の内容】
【００１０】（１）    トイレ本体
（２）    便座本体
（３）    便座蓋
（４）    男子専用尿器
（５）    尿器入口
（６）    尿器出口
（７）    配管
（８）    配管穴
（９）    トイレ本体便槽
（１０）  便座取り付けピン
（１１）  洗浄管取り付けツメ
（１２）  洗浄パイプ
（１３）  排水口
（１４）  尿器と便座蓋、面ファスナ一、磁石